(57)【要約】【課題】ユーザの利便性に富んだセキュアな印刷環境を提供することができる印刷装置とその制御方法を提供する。【解決手段】印刷装置は、印刷結果を取り出すための第１の排紙トレイと、複数の印刷結果を分別して収容し、前記収容された複数の印刷結果を前記第１の排紙トレイを介して外部に提供する第２の排紙トレイと、印刷結果の回収要求に応じて、前記第２の排紙トレイに収容された印刷結果を前記第１の排紙トレイに供給する供給部と、を備える。【選択図】図１
2009234117.tif 000002
【特許請求の範囲】
【請求項１】
印刷結果を取り出すための第１の排紙トレイと、
複数の印刷結果を分別して収容し、前記収容された複数の印刷結果を前記第１の排紙トレイを介して外部に提供する第２の排紙トレイと、
印刷結果の回収要求に応じて、前記第２の排紙トレイに収容された印刷結果を前記第１の排紙トレイに供給する供給部と、
を備えることを特徴とする印刷装置。
【請求項２】
前記第２の排紙トレイが前記複数の印刷結果をそれぞれ収容する複数の個別トレイを備える場合に、前記複数の個別トレイから１の個別トレイを選択する選択手段をさらに備え、
前記供給部は、
前記選択手段により選択された個別トレイに収容された印刷結果を前記第１の排紙トレイに供給することを特徴とする請求項１に記載の印刷装置。
【請求項３】
前記印刷結果の回収要求を入力したユーザを認証する認証手段をさらに備え、
前記選択手段は、
前記認証手段によるユーザの認証が成功した場合に、前記複数の個別トレイから前記ユーザに割り当てられている個別トレイを選択することを特徴とする請求項２に記載の印刷装置。
【請求項４】
前記供給部は、
前記印刷結果を収容し、かつ前記印刷結果を収容した状態で所定方向に移動可能な移動トレイを備え、
前記移動トレイが前記第２の排紙トレイ上に配置されている場合に、前記印刷結果の回収要求が入力されたことを条件に、前記移動トレイを前記第２の排紙トレイから前記第１の排紙トレイへ移動させることを特徴とする請求項１から３いずれか１項に記載の印刷装置。
【請求項５】
印刷結果を取り出すための第１の排紙トレイと、複数の印刷結果を分別して収容し、前記収容された複数の印刷結果を前記第１の排紙トレイを介して外部に提供する第２の排紙トレイと、を備え、前記第２の排紙トレイは、前記複数の印刷結果をそれぞれ収容する複数の個別トレイを備える印刷装置の制御方法であって、
印刷結果の回収要求を受け付けるステップと、
前記第２の排紙トレイが備える複数の個別トレイから前記回収要求を受け付けた印刷結果を収容する１の個別トレイを選択するステップと、
前記選択された個別トレイに収容された印刷結果を前記第１の排紙トレイに供給するステップと、
を備えることを特徴とする印刷装置の制御方法。
【発明の詳細な説明】
【技術分野】
【０００１】
本発明は、印刷装置及び印刷装置の制御方法に関する。
【背景技術】
【０００２】
近年、複数の印刷ジョブを仕分けて印刷すべく複数の排紙トレイを備えるプリンタや、印刷されたドキュメントに対するセキュリティの観点から施錠機能が付いた排紙トレイを備えるプリンタが提案されている。複数の排紙トレイに関する技術は、例えば、特開２００１−３２２３３７号公報（特許文献１）に記載されている。また、施錠機能つき排紙トレイに関する技術は、例えば、特開２００１−２６５７３９号公報（特許文献２）、特開平８−２７９１号公報（特許文献３）、特開平１１−３４８３５９号公報（特許文献４）及び特開２００４−３３８２９５号公報（特許文献５）などに記載されている。
【特許文献１】特開２００１−３２２３３７号公報
【特許文献２】特開２００１−２６５７３９号公報
【特許文献３】特開平８−２７９１号公報
【特許文献４】特開平１１−３４８３５９号公報
【特許文献５】特開２００４−３３８２９５号公報
【発明の開示】
【発明が解決しようとする課題】
【０００３】
このように、従来のプリンタは、印刷結果に対する第三者の盗み見または盗難等を回避するため、印刷結果を複数の排紙トレイに仕分けて収納させるとともに、これら複数の排紙トレイに物理的な施錠機構を設けている。そして、印刷結果を回収する際には、ユーザは、複数の排紙トレイの中から自分の印刷結果が収容されている排紙トレイを指定する必要がある。
【０００４】
したがって、従来のプリンタでは、印刷結果の回収時に排紙トレイを指定するため、ユーザは、排紙トレイの番号を記憶するか当該番号を記録したメモを持ち運ぶなどしなければならず、印刷結果の回収作業におけるユーザの利便性に欠けていた。また、従来のプリンタでは、複数の排紙トレイの全てに物理的な施錠機構を設けているため、排紙トレイがかさばりやすい。
【０００５】
そこで、本願発明は、セキュアな印刷環境において印刷結果の回収作業を軽減することができる印刷装置とその制御方法を提供することを目的とする。
【０００６】
また、本願発明は、排紙トレイに物理的な施錠機構を設けることなく印刷結果に対するセキュリティを維持することができる印刷装置とその制御方法を提供することを目的とする。
【課題を解決するための手段】
【０００７】
上記課題を解決するための本発明は、印刷結果を取り出すための第１の排紙トレイと、複数の印刷結果を分別して収容し、前記収容された複数の印刷結果を前記第１の排紙トレイを介して外部に提供する第２の排紙トレイと、印刷結果の回収要求に応じて、前記第２の排紙トレイに収容された印刷結果を前記第１の排紙トレイに供給する供給部と、を備える。
【０００８】
前記第２の排紙トレイが前記複数の印刷結果をそれぞれ収容する複数の個別トレイを備える場合に、前記複数の個別トレイから１の個別トレイを選択する選択手段をさらに備え、前記供給部は、前記選択手段により選択された個別トレイに収容された印刷結果を前記第１の排紙トレイに供給するようにしてもよい。
【０００９】
前記印刷結果の回収要求を入力したユーザを認証する認証手段をさらに備え、前記選択手段は、前記認証手段によるユーザの認証が成功した場合に、前記複数の個別トレイから前記ユーザに割り当てられている個別トレイを選択するようにしてもよい。
【００１０】
前記供給部は、前記印刷結果を収容し、かつ前記印刷結果を収容した状態で所定方向に移動可能な移動トレイを備え、前記移動トレイが前記第２の排紙トレイ上に配置されている場合に、前記印刷結果の回収要求が入力されたことを条件に、前記移動トレイを前記第２の排紙トレイから前記第１の排紙トレイへ移動させるようにしてもよい。
【００１１】
また、本発明は、印刷結果を取り出すための第１の排紙トレイと、複数の印刷結果を分別して収容し、前記収容された複数の印刷結果を前記第１の排紙トレイを介して外部に提供する第２の排紙トレイと、を備え、前記第２の排紙トレイは、前記複数の印刷結果をそれぞれ収容する複数の個別トレイを備える印刷装置の制御方法であって、印刷結果の回収要求を受け付けるステップと、前記第２の排紙トレイが備える複数の個別トレイから前記回収要求を受け付けた印刷結果を収容する１の個別トレイを選択するステップと、前記選択された個別トレイに収容された印刷結果を前記第１の排紙トレイに供給するステップと、を備える。
【００１２】
また、本発明は、本発明の情報処理方法の各工程をコンピュータ上で実行させるプログラムとしても成立する。この場合のプログラムは、コンピュータによって読み取り可能な、ＣＤ−ＲＯＭ、磁気ディスク、半導体メモリ及び通信ネットワークなどの各種の媒体を通じてコンピュータにインストールまたはロードすることができる。また、コンピュータプログラムが、ＰＣカードやオプションボードに記録されて流通する場合も含む。
【００１３】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１４】
本発明によれば、印刷結果を収容する第２の排紙トレイは第１の排紙トレイを介して印刷結果を提供可能に構成されているので、ユーザが第２の排紙トレイに直接アクセスすることができず、その結果、排紙トレイに物理的な施錠機構を設ける必要がなくなる。また、ユーザが印刷結果を取り出すための第１の排紙トレイは１つしかないので、ユーザが排紙トレイを探す必要がなくなる結果、ドキュメントの回収作業が容易になる。
【発明を実施するための最良の形態】
【００１５】
以下、図を参照しつつ本発明にかかる印刷装置について詳細に説明する。なお、本実施形態では、一例として、本発明に係る印刷装置が、ネットワークを介して複数の端末装置と通信可能に構成される場合について説明する。
【００１６】
（１）第１の実施形態における印刷装置の構成
図１は、本実施形態に係る印刷装置の使用形態を示す図である。同図に示すように、印刷システム１は、印刷装置としてのプリンタ２と、プリンタ２とネットワークＮを介して通信可能に接続される複数の端末装置３（３Ａ、３Ｂ、３Ｃ、３Ｄ…）を備える。
【００１７】
プリンタ２は、主な構成として、本体４と排紙トレイ部５とを備える。本体４は、コントローラ（図示せず）と画像形成部（図示せず）とを備える汎用のレーザプリンタを用いることができ、端末装置３から送信されるジョブデータを解析して画像データを生成し、生成した画像データを所定の記録媒体に印刷する。また、本体４は、画像が印刷された記録媒体（以下、「印刷結果」という。）を、後述する内部トレイ６の個別トレイＴ（Ｔ１、Ｔ２・・・Ｔ８）の何れかに仕分けして出力するソータ（図示せず）を備える。なお、本体４は、レーザプリンタに限られず、例えばインクジェットプリンタ等の記録媒体に画像を形成するものであれば、これを適用することができる。また、プリンタ２は、例えば、プリンタ、スキャナー、コピー機、ＦＡＸ機またはこれらの機能を全て備えた多機能周辺装置（MFP: Multifunction peripheral）であってもよい。
【００１８】
排紙トレイ部５は、ユーザが印刷結果を取り出すための第１の排紙トレイ１０と、複数の印刷結果を分別して収容し、収容された複数の印刷結果を第１の排紙トレイ１０を介して提供する第２の排紙トレイ６と、印刷結果の回収要求に応じて、第２の排紙トレイ６に収容された印刷結果を第１の排紙トレイ１０へ供給する供給部８と、を備える。第１の排紙トレイ１０は、外部からユーザがアクセスすることができるトレイ（以下、「外部トレイ」）であり、第２の排紙トレイ６は、外部からユーザがアクセスすることができないトレイ（以下、「内部トレイ」）である。外部からユーザがアクセスするとは、排紙トレイに収容されている印刷結果をユーザが視認したり取り出したりすることをいう。
【００１９】
内部トレイ６は、印刷要求に基づいて印刷処理を実行する際に使用されるトレイで、ジョブデータに基づく印刷結果を仕分けして収容し、かつ、印刷結果の回収要求があるまで当該印刷結果を保管しておく保管用トレイである。内部トレイ６は、例えば、図１に示すように所定間隔で平行に配置される複数の個別トレイＴ（Ｔ１〜Ｔ８）を備え、複数の個別トレイＴは、印刷結果を収容する収容部７をそれぞれ備える。
【００２０】
同図に示すように、複数の個別トレイＴは、排紙トレイ部５の筺体の内部に配置されており、ユーザが、印刷結果を視認したり取り出したりすることができないように構成されている。複数の個別トレイＴに収容される印刷結果は、後述する外部トレイ１０を介してのみ取り出すことができる。
【００２１】
複数の個別トレイＴは、印刷結果をジョブデータ毎あるいはユーザ毎に収容する。すなわち、プリンタ２が、端末装置３から送信される印刷ジョブを受信すると、本体４のコントローラの制御によって、対象時点で利用可能な個別トレイＴの占有使用権が動的にユーザに割り当てられる。複数の個別トレイＴは、各個別トレイＴに収容された印刷結果が当該個別トレイＴに割り当てられたユーザによってのみ回収されるように本体４のコントローラによって制御される。
【００２２】
外部トレイ１０は、印刷結果の回収要求に基づいて回収処理を実行する際に使用されるトレイで、ユーザが印刷結果を取り出すための取出用トレイである。具体的には、外部トレイ１０は、印刷結果を収容する収容部１１と、収容部１１に収容された印刷結果を取り出すための取出部１２と、を備える。取出部１２は、開口部または開閉可能な扉等によって構成され、外部トレイ１０の所定位置に設けられている。取出部１２は、外部トレイ１０が定位置Ｐに位置した状態で、排紙トレイ部５の筺体の外部に露出し、この取出部１２からユーザは収容部１１に収容された印刷結果を直接回収することができる。なお、外部トレイ１０は、図示しないモータによって個別トレイＴ１〜Ｔ８の配置方向と並行に移動可能（昇降可能）に構成されている。
【００２３】
供給部８は、個別トレイＴの収容部７に収容された印刷結果を外部トレイ１０に供給するもので、個別トレイＴ１〜Ｔ８の所定位置にそれぞれ設けられている。供給部８は、印刷結果と当接する開放端８ａと、開放端８ａに接続され、かつ、収容部７の収容面に沿って伸縮可能に構成された支持部８ｂとを備える。本体４のコントローラの制御によって、支持部８ｂは外部トレイ１０の方向へ伸長し、また、外部トレイ１０と反対の方向へ伸縮する。支持部８ｂは外部トレイ１０の方向へ伸長すると、印刷結果が開放端８ａによって押圧されて外部トレイ１０の方向へスライドし、その後、収容部１１に収容される。支持部８ｂが伸縮する機構には、バネの付勢力を利用するなど既知の技術を適用することができる。なお、供給部８が印刷結果を押圧する際、外部トレイ１０は該当する個別トレイＴの位置に対応する位置（ＰＴ１〜ＰＴ８）まで上昇し停止している。
【００２４】
なお、図１では内部トレイ６として複数の個別トレイＴ１〜Ｔ８を示しているが、個別トレイの数はこれらに限定されない。個別トレイは１個でもよく、また、９個以上でもよい。また、プリンタ２は、これら内部トレイ６及び外部トレイ１０とは別に、一般の排紙トレイを複数備えていても良い。
【００２５】
ネットワークＮは、例えば、ＬＡＮ（Local Area Network）やインターネット等の既知のネットワークを使用することができ、有線であるか無線であるかを問わない。
【００２６】
端末装置３は、ＣＰＵ、ＲＯＭ、ＲＡＭ、外部記憶装置、ディスプレイ、入力インタフェース及び通信インタフェース（図示せず）等を備えた汎用のコンピュータを用いることができる。端末装置３は、本体４のレーザプリンタに対応するプリンタドライバを備え、ユーザは、端末装置３を操作して、ジョブデータの印刷要求を送信することができる。
【００２７】
図２は、本実施形態に係るプリンタ２の機能構成を示す図である。同図に示すように、プリンタ２は、ネットワークＮを介して端末装置３とデータを送受信する通信手段２１と、プリンタ２全体の動作を制御する制御手段２２と、端末装置３から送信されるジョブデータを解析して画像データを生成し、生成した画像データを所定の記録媒体に形成する画像形成手段２８と、画像データが形成された印刷結果を収容する排紙トレイ２９と、本発明に係る印刷処理の実行に必要なプログラムや各種データを記憶する記憶手段３１を備える。
【００２８】
制御手段２２は、さらに複数の機能実現手段を備える。受信手段２３は、通信手段２１を介してジョブデータを受信すると所定の記憶領域に記憶する。ジョブ管理手段２４は、ジョブデータに対してジョブデータを一意的に特定する識別情報としてのジョブＩＤを付与し、このジョブＩＤに基づいてジョブデータを管理する。ジョブデータの管理には、個別トレイＴが使用中か否かを、後述するトレイ管理記憶手段３２のデータを参照して判断し、判断結果に応じてジョブデータの出力先となる個別トレイを設定する処理を含む。
【００２９】
ユーザ認証手段２５は、印刷結果の回収を要求するユーザを認証し、認証結果に基づいて、内部トレイ６に収容された印刷結果の外部トレイ１０への供給の有無を決定する。ユーザ認証には、ユーザＩＤやパスワード入力、指紋認証や静脈認証、またはこれらの組み合わせ等、既知の技術を適用することができる。本実施形態では、ユーザがユーザＩＤとパスワードを入力すると、後述するトレイ管理記憶手段３２のデータを参照することにより、ユーザ認証を実行する。
【００３０】
トレイ選択手段２６は、ユーザ認証手段２５によるユーザ認証が成功すると、トレイ管理記憶手段３２のデータを参照して、ユーザの印刷結果を収容する複数の個別トレイＴを個別トレイＴ１〜Ｔ８の中から選択する。
【００３１】
トレイ制御手段２７は、内部トレイ６の印刷結果を外部トレイ１０に移動するように供給部８や外部トレイ１０を制御する。例えば、トレイ制御手段２７は、外部トレイ１０のモータ（図示せず）を制御して外部トレイ１０をトレイ選択手段２６により選択された個別トレイＴの位置に対応する位置（ＰＴ１〜ＰＴ８）まで上昇させ、その位置で停止させる。また、トレイ制御手段２７は、個別トレイＴに設けられた供給部８を制御して、収容部７に収容された印刷結果を外部トレイ１０に移動させる。
【００３２】
なお、プリンタ２の各処理手段（処理部）は、その手段が有する機能をソフトウェアによって実現する場合、すなわち、図３に示すＣＰＵ１０１が、例えば外部記憶装置１０５からＲＡＭ１０３にロードされた所定のプログラムを実行することにより実現する場合を単に意味するものではなく、所定の集積回路等による物理的手段によって構成する場合も含むものである。
【００３３】
図３は、本実施形態に係るプリンタ２のハードウェア構成を示すブロック図である。ＣＰＵ１０１は、ＲＯＭ１０２や外部記憶装置１０５からＲＡＭ１０３に格納されているプログラムやデータを用いてプリンタ２全体の制御を行い、本発明に係る印刷処理を実行する。ＲＯＭ１０２は、ＣＰＵ１０１によって実行されるプログラムやデータ等を格納する記憶手段である。これらは、ＲＡＭ１０３にロードされてＣＰＵ１０１の処理対象となる。ＲＡＭ１０３は、ネットワークＩ／Ｆ１０４を介して外部から受信したデータや、画像形成部１０７にて形成されるイメージデータを一時的に記憶するための領域を提供する記憶手段である。また、外部記憶装置１０５からロードされたプログラムやデータを記憶するための領域も備える。ネットワークＩ／Ｆ１０４は、プリンタ２（ＣＰＵ１０１）をネットワークＮに接続し、外部の端末装置３とデータ通信を行うためのインタフェースである。プリントエンジン１０７は、図示しない印刷機構を駆動制御して、紙などの記録媒体上に画像や文字を印刷する。タッチパネル１０６は、例えばタッチパネルが装着されたＬＣＤ等の液晶デバイスによって構成される操作表示手段である。外部記憶装置１０５は、プリンタ２の制御をＣＰＵ１０１に実行させるためのソフトウェア（プログラム）及びデータを記憶する記憶手段である。また、外部記憶装置１０５は、印刷結果の回収要求があった際にユーザを認証するための認証プログラム及びデータや、本発明に係る印刷処理や印刷結果回収処理を規定したプログラム及びデータを記憶する。
【００３４】
図４は、本実施形態に係るプリンタ２が備える記憶手段のデータ構造の例を示す。なお、図４に示すデータ構造は一例であり、本発明に係る印刷処理内容に矛盾を生じない範囲で他のデータ構造を採用することができる。
【００３５】
トレイ管理記憶手段３２は、内部トレイ（個別トレイＴ１〜Ｔ８）を管理するためのテーブル（以下、「トレイ管理テーブル」という。）として内部トレイの使用状態に関する情報を記憶する。具体的には、トレイ管理テーブル３２は、各個別トレイＴ１〜Ｔ８を一意的に識別する識別情報（トレイ番号）、個別トレイを使用しているユーザに関するユーザ情報（ユーザＩＤ、パスワード）及び個別トレイの使用状態を対応付けて記憶する。
【００３６】
ジョブデータ投入前の状態では、トレイ番号には、少なくとも個別トレイＴ１〜Ｔ８に対応するトレイ番号が予め記憶され、各トレイの使用情報には「空き」が設定される。ユーザＩＤ及びパスワードは、本実施形態では、ユーザの端末装置３から送信されるジョブデータまたは他のデータに含まれている。ジョブ管理手段２４は、受信手段２３が受信したジョブデータからユーザＩＤとパスワードを抽出し、当該ジョブデータに１の個別トレイＴを割り当てると、抽出したデータを割り当てられた個別トレイのトレイ番号と対応付けて記憶するとともに、個別トレイの使用状態に「使用中」を設定する。また、ユーザが個別トレイＴから印刷結果を取り出すと、ジョブ管理手段２４は、個別トレイＴの使用情報に「空き」を設定する。
【００３７】
（２）印刷処理
図５は、本実施形態に係るプリンタ２による印刷処理の流れを示すフローチャートである。なお、後述するフローチャートにおける各工程（符号が付与されていない部分的な工程を含む）は処理内容に矛盾を生じない範囲で任意に順番を変更して又は並列に実行することができる。印刷処理は、端末装置３から送信される新しいジョブデータをプリンタ２が受信することにより開始される。
【００３８】
受信手段２３は、端末装置３から送信されるジョブデータを受信する（Ｓ１０１）。ジョブデータには、ユーザＩＤ、パスワード、所定のプリンタ言語で作成されたコマンドデータなどを含む。
【００３９】
受信手段２３によりジョブデータが受信されると、ジョブ管理手段２４は、当該ジョブにジョブＩＤを付与し、「空き」状態にある個別トレイ（以下、「空きトレイ」という）があるか否かを判断する（Ｓ１０２）。空きトレイの判断は、トレイ管理テーブル３２に記録された各個別トレイの状態（「使用中」または「空き」が格納されている）をチェックすることにより行われる。
【００４０】
ジョブ管理手段２４は、空きトレイの判断処理において肯定結果を得ると（Ｓ１０２；Ｙｅｓ）、ジョブデータを解析してユーザＩＤとパスワードを抽出し、特定された空きトレイのトレイ番号と対応付けてトレイ管理テーブル３２に記憶する（Ｓ１０３）。
【００４１】
そして、ジョブ管理手段２４は、空きトレイのトレイ番号（例えば、Ｔ２）をジョブデータの出力先に設定する（Ｓ１０４）。これにより、ジョブデータを送信したユーザに、空きトレイの占有使用権が割り当てられる。
【００４２】
ジョブ管理手段２４による出力トレイの設定が終了すると、画像形成手段２８は、ジョブデータに基づいてイメージデータを生成し、生成したイメージデータに基づいて画像形成処理を実行することにより所定の画像を印刷媒体へ印刷する（Ｓ１０５）。印刷結果は、図示しないソータによって出力先として設定された空きトレイへ排紙される（Ｓ１０５）。
【００４３】
ジョブ管理手段２４は、印刷処理が終了すると、トレイ管理テーブル３２の当該トレイの状態に「使用中」を設定する（Ｓ１０６）。そして、ジョブ管理手段２４は、ジョブデータを送信した端末装置３へ印刷が終了した旨を含む印刷終了メッセージを送信する（Ｓ１０７）。
【００４４】
一方、空きトレイの判断処理（Ｓ１０２）において否定結果を得た場合、ジョブ管理手段２４は、エラーメッセージを通知して、処理を終了する。
【００４５】
以上によれば、ジョブデータに基づく印刷結果を収容する個別トレイＴと、ジョブデータを送信したユーザＩＤ及びパスワードとが、対応付けてトレイ管理テーブル３２に記憶される。
【００４６】
なお、空きトレイの判断処理（Ｓ１０２）において、新しいジョブデータを送信したユーザが、個別トレイＴを既に使用中である場合は、新しいジョブデータに基づく印刷結果の出力先にユーザが既に使用している個別トレイＴを設定するようにしてもよい。具体的には、ジョブデータに含まれるユーザＩＤ及びパスワードと、トレイ管理テーブル３２に記憶されているユーザＩＤ及びパスワードが一致する場合は、同一ユーザであると判断し、ジョブ管理手段２４は、該当する「使用中」の個別トレイＴを新しいジョブデータに基づく印刷結果の出力先に設定する。
【００４７】
（３）印刷結果の回収処理
次に、印刷結果の回収処理について説明する。図６は、プリンタ２における印刷結果の回収処理の流れを示すフローチャートである。
【００４８】
制御手段２２は、操作表示部１０６を介してユーザから印刷結果の回収要求が入力されると（Ｓ２０１）、ユーザ認証のためにユーザＩＤとパスワードの入力を促す。そして、操作表示部１０６を介してユーザＩＤとパスワードが入力されると（Ｓ２０２）、ユーザ認証手段２５は、トレイ管理テーブル３２を参照してユーザが入力したユーザＩＤとパスワードの組み合わせと、トレイ管理テーブル３２に記憶されているユーザＩＤとパスワードの組み合わせとを比較する（Ｓ２０３）。
【００４９】
ユーザ認証手段２５によるユーザＩＤとパスワードの比較結果が一致すると（Ｓ２０３；Ｙｅｓ）、トレイ選択手段２６は、ユーザＩＤとパスワードに対応する個別トレイＴを選択する（Ｓ２０４）。一方、ユーザ認証手段２５によるユーザＩＤとパスワードの比較結果が一致しない場合（Ｓ２０３；Ｙｅｓ）、ユーザ認証手段２５は、操作表示部１０６にエラーメッセージを表示して処理を終了する（Ｓ２０８）。
【００５０】
トレイ選択手段２６により、認証されたユーザに割り当てられている個別トレイＴが選択されると、トレイ制御手段２７は、印刷結果の供給処理を開始する。具体的には、トレイ制御手段２７は、外部トレイ１０のモータ（図示せず）を制御して、外部トレイ１０をトレイ選択手段２６により選択された個別トレイＴの位置に対応する位置（ＰＴ１〜ＰＴ８）まで昇降させる。個別トレイＴ１〜Ｔ８の位置に対応する外部トレイ１０の位置（ＰＴ１〜ＰＴ８）は、個別トレイＴから押し出された印刷結果が、そのまま外部トレイ１０の収容部１１にスライドして収容されるような位置ＰＴ１〜ＰＴ８として、予め設定され、個別トレイＴ１〜Ｔ８と対応付けて所定の記憶領域に記憶されている。
【００５１】
トレイ制御手段２７が、個別トレイＴに設けられた供給部８を制御すると、供給部８の支持部８ｂが外部トレイ１０の方向に伸長し、その結果、開放端８ａによって押圧された印刷結果が、外部トレイ１０の方向にスライドして外部トレイ１０の収容部１１に収容される（Ｓ２０５）。印刷結果が外部トレイ１０に収容されると、トレイ制御手段２７は、外部トレイ１０のモータ（図示せず）を制御して、外部トレイ１０を定位置Ｐまで下降させる（Ｓ２０６）。
【００５２】
そして、ジョブ管理手段２４は、トレイ管理テーブル３２から該当個別トレイＴのユーザ情報を削除し、その使用状態に「空き」を設定する（Ｓ２０７）。
【００５３】
図７は、上記工程における供給部８及び外部トレイ１０の動作を説明するための図である。図７（Ａ）は、供給部８が印刷結果Ｄを押圧し、個別トレイＴ６の位置に対応する位置ＰＴ６まで上昇した外部トレイ１０に印刷結果Ｄが収容された状態を示している。また、図７（Ｂ）は、印刷結果Ｄを収容する外部トレイ１０が、定位置Ｐに復帰した状態を示している。外部トレイ１０が定位置Ｐに復帰すると、取出部１２を介して、外部トレイ１０の印刷結果が取り出し可能になる。
【００５４】
以上によれば、印刷結果を収容する内部トレイはプリンタ内部に配置したので、排紙トレイに物理的な施錠機構を設けることなく、セキュアな印刷環境を実現することが可能になる。
【００５５】
また、ユーザから回収要求があったタイミングで、印刷結果を内部トレイから外部トレイへ移しかえる構成としたので、外部トレイが唯一のユーザのインターフェース・トレイとなる結果、ユーザは自分のトレイを探すという負担から解放される。
【００５６】
なお、上記実施形態では、外部トレイ１０を個別トレイＴの位置に対応する位置（ＰＴ１〜ＰＴ８）まで移動させる構成について説明したが、外部トレイ１０を定位置Ｐに配置したままの状態で印刷結果の供給を行うようにしてもよい。
【００５７】
（４）変形例
次に、図８を用いて、上記実施形態における印刷装置の変形例について説明する。変形例では、排紙トレイ部が、印刷結果を収容したまま移動可能な移動トレイを備えることを特徴とする。
【００５８】
同図に示すように、複数の移動トレイ５０は、印刷結果を収容する収容部５１と、収容部５１の下部に設けられ所定方向に移動可能な移動部５２とから構成される。個別トレイＴは、それぞれ対応する移動トレイ５０をその収容部７に収容している。変形例では、ジョブデータに基づく印刷結果は、収容部７ではなく、移動トレイ５０の収容部５１に収容される。移動トレイ５０は、供給部８により外部トレイ１０の方向へ押圧されると、移動部５２の移動によって同方向へスライドする。
【００５９】
このように構成される排紙トレイ部５ｂの動作について説明する。印刷結果の回収要求があると、トレイ制御手段２７は、外部トレイ１０のモータ（図示せず）を制御して外部トレイ１０をトレイ選択手段２６により選択された個別トレイＴ６の位置に対応する位置ＰＴ６まで上昇させ、停止させる。
【００６０】
次に、トレイ制御手段２７は、個別トレイＴ６に設けられた供給部８を制御して移動トレイ５０を押圧すると、移動トレイ５０の移動部５２が同方向へ移動し、その結果、移動トレイ５０は外部トレイ１０にスライドする。なお、移動トレイ５０の収容部５１には、印刷結果が収容された状態である。
【００６１】
移動トレイ５０が外部トレイ１０内に収容されると、トレイ制御手段２７は、外部トレイ１０のモータ（図示せず）を制御して、外部トレイ１０を定位置Ｐまで下降させる。
【００６２】
以上の変形例によれば、印刷結果を移動トレイに収容させた状態で内部トレイから外部トレイへ移動させることができるので、印刷結果の量が多いような場合でも容易に移動させることができるようになる。
【００６３】
（５）第２の実施形態
次に、図９（Ａ）を用いて、第２の実施形態について説明する。第１の実施形態と同じ構成については、番号の付与及び説明を省略している。
【００６４】
図９（Ａ）に示すように、第２の実施形態では、排紙トレイ部５ｂが、内部トレイ６と外部トレイ１０との間を昇降可能な可動ローラ６０をさらに備え、個別トレイＴの収容部７ａが伸縮可能に構成されている点を特徴とする。
【００６５】
可動ローラ６０は、排紙トレイ部５ｂの内部上面に吊り下げられ、内部上面から鉛直方向に吊り下げられた支持部６１と、その下端に設けられ所定方向に回転可能な回転体６２とから構成されている。支持部６１は、図示しないモータの制御により鉛直方向に昇降可能であり、回転体６２を個別トレイＴに収容された印刷結果Ｄに当接させる。
【００６６】
また、収容部７ａは、印刷結果１０を収容する部分が、外部トレイ１０の方向へ所定距離伸びるように構成されている。具体的には、可動ローラ６０が昇降した場合に、その回転体６２が印刷結果１０に当接することができる位置まで、伸長可能に構成されている。
【００６７】
このように構成される排紙トレイ部５ｂの動作について説明する。印刷結果の回収要求があると、トレイ制御手段２７は、外部トレイ１０のモータ（図示せず）を制御して外部トレイ１０をトレイ選択手段２６により選択された個別トレイＴ６の位置に対応する位置ＰＴ６まで上昇させる。
【００６８】
次に、トレイ制御手段２７は、個別トレイＴ６の収容部７ａを外部トレイ１０の方向へ所定距離、伸長させる。そして、トレイ制御手段２７は、図示しないモータを制御して可動ローラ６０の支持部６１を下降させる。可動ローラの回転体６２が印刷結果Ｄに当接すると、図示しないセンサがこれを検出し、支持部６１の下降が停止する。
【００６９】
トレイ制御手段２７は、印刷結果が外部トレイ１０の方向へ移動する方向（図８に示す反時計まわりの方向）に回転体６２を回転させる。これにより、印刷結果Ｄは、回転体６２の回転によって外部トレイ１０に押し出される。収容部７ａ上の印刷結果Ｄがすべて外部トレイ１０に押し出されると、回転体６２の回転を停止させる。
【００７０】
上記第２の実施形態によれば、供給機構としての１の可動ローラが個別トレイＴ１〜Ｔ８の印刷結果を外部トレイ１０に押し出すので、個別トレイＴについてそれぞれ供給機構を設ける必要がなくなる。
【００７１】
（６）第３の実施形態
次に、図９（Ｂ）を用いて、第３の実施形態について説明する。上記各実施形態と同じ構成については、番号の付与及び説明を省略している。図９（Ｂ）に示すように、第３の実施形態では、個別トレイＴの収容部７ｂが、ベルト機構を備える点を特徴とする。
【００７２】
収容部７ｂは、ベルト７０と、ベルト７０の両端部内に配置された一対の送りローラ７１とを備える。なお、図９（Ｂ）では、一対の送りローラ７１のうち片方のみを示している。ベルト７０は、その上側表面に印刷結果を収容可能に構成されている。図示しないモータによって一対の送りローラ７１が、所定方向（図９（Ｂ）に示す時計回りの方向）へ回転すると、これに伴いベルト７０が移動し、印刷結果が外部トレイ１０に移動する。
【００７３】
このように構成された排紙トレイ部５ｃの動作について説明する。印刷結果の回収要求があると、トレイ制御手段２７は、外部トレイ１０のモータ（図示せず）を制御して外部トレイ１０をトレイ選択手段２６により選択された個別トレイＴ６の位置に対応する位置ＰＴ６まで上昇させる。
【００７４】
次に、トレイ制御手段２７は、個別トレイＴ６のベルト７０のモータ（図示せず）を制御して、送りローラ７１を所定方向（図９（Ｂ）に示す時計回りの方向）へ回転させる。送りローラ７１の回転によってベルト７０が移動すると、印刷結果がベルト７０から外部トレイ１０方向に移動し、個別トレイＴ６の近くに位置する外部トレイ１０の収容部１１にスライドする。
【００７５】
印刷結果が個別トレイＴ６から外部トレイ１０に移動すると、トレイ制御手段２７は、ベルト７０のモータ（図示せず）を停止させ、外部トレイ１０を元の位置Ｐまで下降させる。
【００７６】
上記第３の実施形態によれば、ベルト機構の動作によって印刷結果が内部トレイから外部トレイへ移しかえられるので、各トレイに物理的な施錠機構を設ける必要がなくなり、また、ユーザは自分のトレイを探すという作業から解放されるようになる。
【００７７】
なお、本発明は上記実施形態に限定されることなく、種々に変形して適用することが可能である。例えば、上記フローチャート中の各工程（符号が付与されていない部分的な工程を含む）は、処理に矛盾を生じない範囲で任意に順番を変更して又は並列に実行することができる。
【図面の簡単な説明】
【００７８】
【図１】第１実施形態に係る印刷装置が適用される印刷システムを説明するための図である。
【図２】第１実施形態に係る印刷装置の機能構成を示すブロックダイアグラムである。
【図３】第１実施形態に係る印刷装置のハードウェア構成を示すブロック図である。
【図４】第１実施形態に係る印刷装置が備える記憶手段のデータ構造の例を示す。
【図５】第１実施形態に係る印刷装置による印刷処理の一例を示すフローチャートである。
【図６】第１実施形態に係る印刷装置による印刷結果の回収処理の一例を示すフローチャートである。
【図７】第１実施形態に係る印刷装置の動作を説明するための図である。
【図８】第１実施形態の変形例を説明するための図である。
【図９】第２及び第３の実施形態に係る印刷装置の動作を説明するための図である。
【符号の説明】
【００７９】
１…印刷システム、２…印刷装置（プリンタ）、３…端末装置、４…本体、５…排紙トレイ部、６…内部トレイ、７…収容部、８…供給部、８ａ…開放端、８ｂ…支持部、１０…外部トレイ、１１…収容部、１２…取出部、２１…通信手段、２２…制御手段、２３…受信手段、２４…ジョブ管理手段、２５…ユーザ認証手段、２６…トレイ選択手段、２７…トレイ制御手段、２８…画像形成手段、３１…記憶手段、３２…トレイ管理記憶手段、１０５…外部記憶装置、１０６…タッチパネル、１０６…操作表示部、１０７…画像形成部、１０７…プリントエンジン、１０８…排紙トレイ、Ｎ…ネットワーク、Ｔ…個別トレイ、Ｐ…定位置
【図２】
2009234117.tif 000003
【図３】
2009234117.tif 000004
【図４】
2009234117.tif 000005
【図５】
2009234117.tif 000006
【図６】
2009234117.tif 000007
【図７】
2009234117.tif 000008
【図８】
2009234117.tif 000009
【図９】
2009234117.tif 000010
【図１】
2009234117.tif 000011